(57)【要約】【課題】補助光の発光量制御を行う場合であっても、オートフォーカス動作の所要時間を長くすることのない自動焦点調節装置を提供する。【解決手段】オートフォーカス動作において、被写体が規定の明るさより暗い場合に、該被写体に対して補助光を照射する補助光手段と、補助光の発光量を制御する発光量制御手段とを有し、発光量制御手段が、フォーカスレンズがスキャン開始位置へ移動される間に、補助光を発光と非発光の各状態にしてフォーカス検出領域の明るさを取得し、該取得した明るさからスキャンの際の補助光の発光量を設定する（Ｓ３０１，Ｓ３１２〜Ｓ３１７，Ｓ３０６）。【選択図】図３
2008216763.tif 000002
【特許請求の範囲】
【請求項１】
撮像手段からの画像信号に基づいてフォーカス検出領域のコントラストに対応する焦点信号を演算する演算手段と、
フォーカスレンズを移動させてスキャンし、前記焦点信号が最大となる合焦位置へ前記フォーカスレンズを位置させるオートフォーカス動作を行うオートフォーカス手段と、
前記オートフォーカス動作において、被写体が規定の明るさより暗い場合に、該被写体に対して補助光を照射する補助光手段と、
前記補助光の発光量を制御する発光量制御手段とを有し、
前記発光量制御手段は、前記フォーカスレンズが前記スキャン開始位置へ移動される間に、前記補助光を発光と非発光の各状態にして前記フォーカス検出領域の明るさを取得し、該取得した明るさから前記スキャンの際の前記補助光の発光量を設定することを特徴とする自動焦点調節装置。
【請求項２】
前記発光量制御手段は、前記フォーカスレンズが前記スキャン開始位置に到達するまでの移動時間が短く、該移動中に前記補助光を発光と非発光の各状態にしてフォーカス検出領域の明るさを取得できない場合、前記フォーカスレンズを前記スキャン開始位置で停止させて前記フォーカス検出領域の明るさを取得し、前記補助光の発光量を設定するものであり、
前記発光量が設定された後に、前記フォーカスレンズの前記スキャンが開始されることを特徴とする請求項１に記載の自動焦点調節装置。
【請求項３】
前記発光量制御手段は、前記取得した前記フォーカス検出領域の明るさが規定値以下の場合には、前記補助光を最大発光量に設定するものであり、
前記発光量が最大に設定された後に、前記フォーカスレンズの前記スキャンが開始されることを特徴とする請求項１または２に記載の自動焦点調節装置。
【請求項４】
前記発光量制御手段は、前記測距可能な至近距離が基準距離よりも近距離であるときに、前記補助光の発光量を最大発光量より小さく設定することを特徴とする請求項１ないし請求項３のいずれかに記載の自動焦点調節装置。
【請求項５】
撮影の際の焦点距離を検出する焦点距離検出手段と、
撮影画面中の特定被写体の大きさを検出する被写体サイズ検出手段とを、更に有し、
前記発光量制御手段は、撮影時の焦点距離と撮影画面中の特定被写体の大きさから求めた被写体推定距離が基準距離よりも近距離と推定されたときに、前記補助光の発光量を最大発光量より小さく設定することを特徴とする請求項１から請求項３のいずれかに記載の自動焦点調節装置。
【請求項６】
撮影の際、今回の撮影条件が前回の撮影条件に対して一定の変化がなく、かつ、前回の撮影では補助光を発光して前記スキャンを行った結果が合焦であった場合には、前回撮影時と同じ補助光発光量で前記スキャンを行うことを特徴とする請求項１ないし請求項５のいずれかに記載の自動焦点調節装置。
【請求項７】
前記撮影条件は、焦点距離、撮影時刻、撮影モード、測距範囲設定、フォーカス検出領域設定、被写体の明るさ、ホワイトバランス制御値、のうち少なくとも１つを含むことを特徴とする請求項６に記載の自動焦点調節装置。
【請求項８】
請求項１ないし７に記載の自動焦点調節装置を有することを特徴とする撮像装置。
【発明の詳細な説明】
【技術分野】
【０００１】
本発明は、撮像装置に好適な自動焦点調節装置及び該自動焦点調節装置を備える撮像装置に関するものである。
【背景技術】
【０００２】
撮像装置では、フォーカスレンズを光軸方向に移動させながら、撮像素子に結像した被写体像の輝度信号の高周波成分（以下、焦点評価値）が最大となる位置を検出して焦点調節を行う方式の焦点調節装置が採用されることが多い。この方式をコントラスト検出方式といい、フォーカスレンズを光軸方向に移動させながら焦点評価値が最大となる位置（合焦位置）を検出する動作をスキャン動作という。このコントラスト検出方式は、低照度環境下では被写体像の輝度が低く、コントラスト検出が困難になるため、ＬＥＤ（赤外発光ダイオード）などの補助光光源を設けてスキャン中に補助光照射を行うことが多い。
【０００３】
上記補助光に必要な明るさは被写体のエッジがコントラストとして識別できる程度の明るさである必要があるが、被写体の距離や反射率、撮像装置の露出によって異なる。そのため、常に補助光光源の最大発光量を照射した場合には、撮像画像の輝度が飽和により十分なコントラストが得られず、合焦不能となることがある。
【０００４】
そこで、補助光の光量を最適とするため、補助光非照射時のフォーカス検出領域の明るさと補助光照射時のフォーカス検出領域の明るさの比に応じてフォーカスレンズのスキャン時における補助光光量を設定する撮像装置が提案されている（特許文献１）。
【特許文献１】特開２００３−１１４３７４号公報
【発明の開示】
【発明が解決しようとする課題】
【０００５】
しかしながら、特許文献１では、補助光の光量を設定するために、補助光の非照射時と照射時それぞれにおいてフォーカス検出領域の明るさを停止して取得し、オートフォーカス動作に要する時間が長くなるという課題を有していた。
【０００６】
（発明の目的）
本発明の目的は、被写体像の輝度が低くコントラスト検出が困難なために補助光の発光量制御を行う必要がある場合であっても、オートフォーカス動作の所要時間を長くすることのない自動焦点調節装置及び撮像装置を提供しようとするものである。
【課題を解決するための手段】
【０００７】
上記目的を達成するために、本発明は、撮像手段からの画像信号に基づいてフォーカス検出領域のコントラストに対応する焦点信号を演算する演算手段と、フォーカスレンズを移動させてスキャンし、前記焦点信号が最大となる合焦位置へ前記フォーカスレンズを位置させるオートフォーカス動作を行うオートフォーカス手段と、前記オートフォーカス動作において、被写体が規定の明るさより暗い場合に、該被写体に対して補助光を照射する補助光手段と、前記補助光の発光量を制御する発光量制御手段とを有し、前記発光量制御手段が、前記フォーカスレンズが前記スキャン開始位置へ移動される間に、前記補助光を発光と非発光の各状態にして前記フォーカス検出領域の明るさを取得し、該取得した明るさから前記スキャンの際の前記補助光の発光量を設定する自動焦点調節装置とするものである。
【０００８】
同じく上記目的を達成するために、本発明は、本発明の上記自動焦点調節装置を有する撮像装置とするものである。
【発明の効果】
【０００９】
本発明によれば、被写体像の輝度が低くコントラスト検出が困難なために補助光の発光量制御を行う必要がある場合であっても、オートフォーカス動作の所要時間を長くすることのない自動焦点調節装置又は撮像装置を提供できるものである。
【発明を実施するための最良の形態】
【００１０】
本発明を実施するための最良の形態は、以下の実施例に示す通りである。
【実施例】
【００１１】
図１は本発明の一実施例に係わる撮像装置の概略構成を示すブロック図である。なお、本実施例では、推定距離を求める特定被写体の対象として、人物の顔を用いることとする。また、顔の検出方法については公知の方法を用いて、顔の位置及びサイズ情報が得られるものとする。
【００１２】
なお、本発明における「スキャン」とは、フォーカスレンズを光軸方向に至近端から無限端方向へ、あるいはその逆方向へ移動させて、焦点評価値が最大となるフォーカスレンズ位置を検出することをいう。
【００１３】
本実施例に係る撮像装置は、光学系１０１及びフォーカスレンズ１０２を持つ。これらにより結像された光は撮像素子１０３により光電変換され、撮像信号として出力される。この撮像信号は、出力ノイズを除去するＣＤＳ回路や非線形増幅回路を備えた前置処理回路１０４、Ａ／Ｄ変換器１０５を通してデジタル化された信号としてメモリコントローラ１０６に出力される。メモリコントローラ１０６はこの撮像信号をメモリ１０７に格納するとともに信号処理回路１０８へ出力する。すると、信号処理回路１０８はこの撮像信号を画像に変換し、記録媒体１０９に記録する。
【００１４】
なお、１１０はライブビュー画像や、撮像装置の各種設定情報、撮影画像などを表示する操作表示部である。１１１は撮影スタンバイ動作を行うためのスイッチ（以下、スイッチＳＷ１）、１１２はスイッチＳＷ１の操作の後、撮影を行うスイッチ（以下、スイッチＳＷ２）である。
【００１５】
オートフォーカス（ＡＦとも記す）動作は、システム制御部１１３により制御される。まず、スイッチＳＷ１操作により、フォーカスレンズ駆動回路１１４を介してフォーカスレンズ１０２をスキャン開始位置への移動を開始する。フォーカスレンズ１０２がスキャン開始位置へ到達するまでの移動中に補助光発光量制御部１１６が、後述するフローチャートにしたがって補助光光源１１５の発光量を設定する。
【００１６】
次に、フォーカスレンズ１０２を光軸方向に移動しながら複数のフォーカスレンズ位置においてそれぞれ撮像した画像信号を用いて画像のコントラストに対応する焦点評価値を焦点評価値演算部１１７において演算する。合焦位置決定部１１８において合焦位置を決定後、その位置にフォーカスレンズ１０２を駆動するよう制御する。なお、スイッチＳＷ１の操作によりＡＦ動作などの撮影スタンバイ動作が行われ、スイッチＳＷ２の操作により撮影及び画像の記録が行われる。ＡＦ動作時には測距範囲設定部１２２により設定された測距範囲をスキャンする。また、撮影条件解析部１１９と撮影条件記憶部１２０は、後述するように前回撮影時との撮影条件の比較に用いられ、顔検出部１２１は検出された顔サイズにより被写体距離の推定に用いられる。これらの結果は、ＡＦ動作におけるスキャン時の補助光光源１１５の発光量設定に反映するように構成される。
【００１７】
焦点評価値の演算は、次のように行われる。フォーカス検出領域（例えば画面上の左、中央、右に設けられるもので、測距枠ともいわれる）内の画像データの各ラインに水平方向のバンドパスフィルタを適用する。次に、ライン毎にバンドパス出力信号の絶対値の最も大きいものを選択する。選択した信号を垂直方向に積分する。上記構成により、水平方向のコントラストの大きいものが検出され、垂直方向に積分することでＳ／Ｎの向上した焦点評価値が得られ、この焦点評価値は合焦状態で最も値が大きくなり、デフォーカス状態にすると値が小さくなるような信号となる。したがって、上記焦点評価値の極大値位置を検出しその位置で撮影を行うことで合焦した画像を得ることができる。
【００１８】
以下、本発明の一実施例に係る撮像装置の一連の動作について、図２を参照しながら詳述する。
【００１９】
まず、ステップＳ２０１では、不図示の電源を投入するメインスイッチの状態を検出し、ＯＮであればステップＳ２０２へ進む。ステップＳ２０２では、記録媒体１０９の残容量を調べ、残容量が０であればステップＳ２０３へ進み、そうでなければステップＳ２０４へ進む。ステップＳ２０３へ進むと、記録媒体１０９の残容量が０であることを警告して、ステップＳ２０１に戻る。警告は操作表示部１１０に表示するか又は図示しない音声出力部から警告音を出すか、又はその両方を行ってもよい。
【００２０】
記録媒体１０９の残容量が０でないとしてステップＳ２０４へ進むと、スイッチＳＷ１の状態を調べ、ＯＮであればステップＳ２０６へ進み、そうでなければステップＳ２０５へ進む。ステップＳ２０５へ進むと、図示しないメインスイッチの状態を調べ、ＯＮであればスイッチＳＷ１の状態を調べるステップＳ２０４へ戻り、そうでなければステップＳ２０１へ戻る。
【００２１】
スイッチＳＷ１がＯＮであるとしてステップＳ２０６へ進むと、ＡＥ（自動露出）処理を行い、次のステップＳ２０７にて、後述する図３のフローチャートにしたがってＡＦ動作を行う。続くステップＳ２０８では、スイッチＳＷ２の状態を調べ、ＯＮであればステップＳ２１０へ進み、そうでなければステップＳ２０９へ進む。ステップＳ２０９へ進むと、スイッチＳＷ１の状態を調べ、ＯＮであればステップＳ２０８へ戻り、そうでなければスイッチＳＷ１の状態を調べるステップＳ２０４へ戻る。
【００２２】
スイッチＳＷ２がＯＮであるとしてステップＳ２１０へ進むと、後述する図５のフローチャートにしたがって撮影動作を行う。そして、次のステップＳ２１１にて、記録媒体１０９の残容量を調べ、残容量が０であればステップＳ２０３へ戻り、そうでなければステップＳ２１２へ進む。ステップＳ２１２へ進むと、スイッチＳＷ２の状態を調べ、ＯＮであればこのステップで待機し、ＯＦＦするとスイッチＳＷ１の状態を調べるステップＳ２０９へ進む。
【００２３】
次に、上記ステップＳ２０７にて実行されるＡＦ動作について、図３のフローチャートにしたがって説明する。
【００２４】
まず、ステップＳ３０１では、被写体の明るさにより補助光を発光する条件であるか否か調べ、規定値以下の明るさでない場合はステップＳ３０２へ進み、規定値以下の明るさである場合にはステップＳ３０３へ進む。
【００２５】
被写体の明るさが規定値以下の明るさでないとしてステップＳ３０２へ進むと、被写体のコントラストを検出するには十分な明るさであるので、補助光は発光せずにフォーカスレンズ１０２のスキャンを行う。その後は後述のステップＳ３１８へ進む。
【００２６】
また、被写体の明るさが規定値以下の明るさであるとしてステップＳ３０３へ進むと、後述する図４のフローチャートにしたがって、前回の撮影と同一シーンであり、かつ前回の撮影では合焦であったか否かを判定する。前回の撮影と同一シーンかつ前回の撮影では合焦であったと判定した場合にはステップＳ３０４へ進み、そうでない場合にはステップＳ３０５へ進む。ステップＳ３０４へ進むと、前回の撮影時に補助光を発光していなければ発光せずにスキャンを行い、発光していれば同じ発光量で補助光を発光させてスキャンを行う。その後は後述のステップＳ３１８へ進む。
【００２７】
ステップＳ３０５へ進むと、測距範囲設定部１２２により設定される測距範囲における測距可能な至近距離を基準距離ｄｆと比較し、至近距離が基準距離ｄｆよりも近距離であればステップＳ３０７へ進み、そうでなければステップＳ３０６へ進む。ここで、基準距離ｄｆは、補助光をフル発光としたときの該補助光の到達距離相当に設定され、被写体推定距離が基準距離ｄｆ以上の遠距離である場合には、補助光をフル発光としても飽和によって非合焦となる弊害がないと判定することができる。至近距離が基準距離ｄｆよりも近距離でないとしてステップＳ３０６へ進むと、補助光をフル発光としてスキャンを行う。
【００２８】
また、至近距離が基準距離ｄｆよりも近距離であるとしてステップＳ３０７へ進むと、顔検出モードであるかどうかを調べ、顔検出モードである場合にはステップＳ３０８へ進み、そうでなければステップＳ３１２へ進む。顔検出モードであるとしてステップＳ３０８へ進むと、顔検出部１２１により顔検出を行う。そして、次のステップＳ３０９にて、上記ステップＳ３０８で顔検出ができていればステップＳ３１０へ進み、顔検出ができていなければステップＳ３１２へ進む。
【００２９】
顔検出ができているとしてステップＳ３１０へ進むと、検出された顔サイズから次のようにして被写体までの推定距離ｄを求める。実際の標準的な顔サイズをＬｓｔｄ、像面上で検出した顔領域のサイズをＬ、焦点距離をｆとすると、推定距離ｄは
ｄ＝ｆ（１＋Ｌｓｔｄ／Ｌ）
で求めることができる。次のステップＳ３１１では、上記ステップＳ３１０にて求めた推定距離ｄを基準距離ｄｆと比較し、推定距離ｄが基準距離ｄｆよりも近距離であればステップＳ３１２へ進み、そうでなければ上記したステップＳ３０６へ進む。
【００３０】
ステップＳ３１２へ進むと、スキャン開始位置（例えば至近位置）に向けてフォーカスレンズ１０２の移動を開始する。そして、次のステップＳ３１３にて、フォーカスレンズ１０２がスキャン開始位置に到達するまでの移動の最中に、補助光の発光はせずにフォーカス検出領域の輝度値の取得を行う。続くステップＳ３１４では、同じくフォーカスレンズ１０２がスキャン開始位置に到達するまでの移動の最中に、補助光を所定の発光量で発光させ、出力の安定を待ち、次のステップＳ３１５にて、補助光発光状態でのフォーカス検出領域の輝度値の取得を行う。なお、ここで設定される所定の発光量は、補助光をフル発光としてスキャンした場合の飽和による影響度を調べるため、フル発光もしくは８０％程度の大きめの発光量とする。
【００３１】
また、上記ステップＳ３１３〜Ｓ３１５の処理中に、フォーカスレンズ１０２がスキャン開始位置への移動を終了した場合は、次のようにする。つまり、フォーカスレンズがスキャン開始位置に到達するまでの移動時間が短い場合は、フォーカスレンズ１０２がスキャン開始位置に到達して時点で該フォーカスレンズ１０２の移動を停止させ、フォーカス検出領域の輝度値の取得を行う。
【００３２】
次のステップＳ３１６では、上記ステップＳ３１３で補助光を発光せずに取得した輝度値と上記ステップＳ３１５で所定発光量にて取得した輝度値とが一定値以上の輝度差があるかを調べる。そして、一定値以上の輝度差がない場合はステップＳ３０６へ進み、一定値以上の輝度差がある場合はステップＳ３１７へ進む。
【００３３】
補助光を発光しない場合と発光した場合で所定値以上の輝度差がない、つまり被写体による補助光の反射が少ないと判定した場合は、上記のようにステップＳ３１６からステップＳ３０６へ進む。この場合は、補助光をフル発光としても飽和によって非合焦となる弊害が小さいと判定できるので、補助光をフル発光にしてスキャンを行う。
【００３４】
一方、補助光を発光しない場合と発光した場合で一定値以上の輝度差があるとしてステップＳ３１７へ進んだ場合、至近の被写体であるもしくは反射率の高い被写体であるなどの理由で、補助光の発光量次第では飽和して非合焦となる弊害が想定される。そのため、補助光の発光量は規定の小発光量としてスキャンを行う。その後はいずれの場合もステップＳ３０８へ進む。
【００３５】
ステップＳ３１８へ進むと、焦点評価値演算部１１７と合焦位置決定部１１８により、スキャン時に取得した焦点評価値から所定値以上の最大値を求める。そして、そのときのフォーカスレンズ１０２の位置を抽出し、焦点評価値が最大値を示した位置、つまり合焦位置へフォーカスレンズ１０２を移動させる。ここで、前記所定値以上の焦点評価値の最大値が求められなかった場合、すなわち非合焦時には、定点と呼ばれるあらかじめ設定された位置へフォーカスレンズ１０２を移動させる。そして、次のステップＳ３１９にて、操作表示部１１０に合焦／非合焦の測距結果を表示させると共に、今回の合焦／非合焦の測距結果や撮影モードなどの撮像装置の設定情報、被写体の明るさなどの撮影条件情報を、撮影条件記憶部１２０に記憶する。
【００３６】
次に、図３のステップＳ３０３の同一シーン判定を主とする動作について、図４のフローチャートにしたがって説明する。なお、以下に説明する図４のフローチャートで比較する前回撮影時の情報は、図３のステップＳ３１９にて撮影条件記憶部１２０に記憶された情報である。
【００３７】
ステップＳ４０１では、前回の撮影は合焦であったか調べ、合焦であればステップＳ４０２へ進み、そうでなければＮｏへ進む。ステップＳ４０２では、焦点距離を前回撮影時と比較し、同じ焦点距離であればステップＳ４０３へ進み、そうでなければＮｏへ進む。ステップＳ４０３では、前回撮影時から経過した時間を調べ、所定の経過時間以内であればステップＳ４０４へ進み、そうでなければＮｏへ進む。ステップＳ４０４では、撮影モードを前回撮影時と比較し、同じ撮影モードであればステップＳ４０５へ進み、そうでなければＮｏへ進む。
【００３８】
ステップＳ４０５では、測距範囲設定を前回撮影時と比較し、同じ測距範囲設定であればステップＳ４０６へ進み、そうでなければＮｏへ進む。ステップＳ４０６では、フォーカス検出領域設定を前回撮影時と比較し、同じフォーカス検出領域設定であればステップＳ４０７へ進み、そうでなければＮｏへ進む。ステップＳ４０７では、被写体の明るさを前回撮影時と比較し、差分量（変化量）が例えば±１／３段などの所定値内であるか調べ、所定値内であればステップＳ４０８へ進み、そうでなければＮｏへ進む。ステップＳ４０８では、ホワイトバランス制御値を前回撮影時と比較し、所定の差分量以下であればＹｅｓへ進み、そうでなければＮｏへ進む。
【００３９】
次に、図２のステップＳ２１０にて実行される撮影動作について、図５のフローチャートにしたがって説明する。
【００４０】
まず、ステップＳ５０１では、被写体輝度を測定する。そして、次のステップＳ５０２にて、上記ステップＳ５０１で測定した被写体輝度に応じて撮像素子１０３への露光を行う。撮像素子面上に結像された像は光電変換されてアナログ信号となり、次のステップＳ５０３にて、Ａ／Ｄ変換器１０５へと送り、撮像素子１０３の出力ノイズ除去や非線形処理などの前処理の後にデジタル信号に変換する。そして、次のステップＳ５０４にて、信号処理回路１０８によりＡ／Ｄ変換器１０５からの出力信号を適正な出力画像信号とする。続くステップＳ５０５では、出力画像信号をＪＰＥＧフォーマット等への画像フォーマット変換を行い、次のステップＳ５０６にて、記録媒体１０９へ転送し、記憶する。
【００４１】
上記の実施例によれば、フォーカスレンズがスキャン開始位置へ移動される最中に、補助光を発光と非発光の各状態にしてフォーカス検出領域の明るさを取得し、取得した明るさからスキャン時の前記補助光の発光量を設定するようにしている。このため、低照度環境下のために被写体像の輝度が低く、コントラスト検出が困難なシーンにおいて、補助光の発光量制御を行う場合であっても、ＡＦ動作の所要時間が長くならずに焦点調節を行うことが可能となる。
【００４２】
上記の実施例では、推定距離ｄを求める特定被写体の対象として人物の顔を用いることとしたが、これに限るものではない。特定被写体像を抽出する手段と、特定被写体像の撮影画面における大きさを検出する手段と、検出された大きさから特定被写体までの距離を求める手段があればよい。推定距離を求める方法としては、上述の式を用いるならば、特定被写体の標準的な大きさ情報があればよい。または、特定被写体像の大きさと撮影時の焦点距離と当該被写体までの距離の関係を示す情報をあらかじめ記憶回路に記憶しておき、前記情報を参照して距離を求める構成としてもよい。
【００４３】
また、上記の実施例では、制御され得る補助光発光量としては非発光を含め３通りであるが、補助光を発光しない場合と発光した場合で取得したフォーカス検出領域の輝度値の比により補助光の所定発光量を設定する構成としてもよい。
【００４４】
また、上記実施例では、以下の各項目全ての一定条件を満たすときにのみ、前回の撮影と同一シーンであると判定する構成にしている。各項目とは、撮影時の焦点距離、撮影モード設定、測距範囲設定、フォーカス検出領域設定、被写体の明るさ、ＷＢ制御値、前回撮影時刻からの経過時間である。しかし、前記各項目のうち少なくともいずれか一つを含む項目が所定条件を満たすときに、前回の撮影と同一シーンであると判定する構成してもよい。また、各項目の満たすべき所定条件は、前記で示した値に限られるものではない。
【００４５】
（本発明と実施例の対応）
本発明において、本発明の撮像手段は撮像素子１０３に、演算手段はシステム制御部１１３に、オートフォーカス手段は、システム制御手段１１３及びフォーカスレンズ駆動回路１１４に、補助光手段は補助光光源１１５に、それぞれ相当する。また、焦点信号は焦点評価値に対応する。
【００４６】
また、請求項１の本発明において、発光量制御手段は図３のステップＳ３０１，Ｓ３１２〜Ｓ３１７，Ｓ３０６の処理を実行する部分に相当する。また、請求項３の本発明において、発光量制御手段は図３のステップＳ３０１，Ｓ３０６の処理を実行する部分に、請求項４の本発明において、発光量制御手段は図３のステップＳ３０５，Ｓ３１６，Ｓ３１７の処理を実行する部分に、それぞれ相当する。また、請求項５の本発明において、発光量制御手段は図３のステップＳ３１１，Ｓ３１６，Ｓ３１７の処理を実行する部分に、焦点距離検出手段は、図４のステップＳ４０２の処理を実行する部分に、それぞれ相当する。同じく請求項５の本発明において、撮影画面中の特定被写体の大きさを検出する被写体サイズ検出手段は、図３のステップＳ３０８に相当する。請求項６の本発明において、発光量制御手段は図３のステップＳ３０３，Ｓ３０４の処理を実行する部分に相当する。
【図面の簡単な説明】
【００４７】
【図１】本発明の一実施例に係わる撮像装置の構成を示すブロック図である。
【図２】本発明の一実施例に係わる撮像装置の動作を示すフローチャートである。
【図３】図２のステップＳ２０７にて実行されるＡＦ動作を示すフローチャートである。
【図４】図３のステップＳ３０３における同一シーン判定の詳細動作を示すフローチャートである。
【図５】図２のステップＳ２１０にて実行される撮影動作を示すフローチャートである。
【符号の説明】
【００４８】
１０１    光学系
１０２    フォーカスレンズ
１０３    撮像素子
１０４    前置処理回路
１０６    メモリコントローラ
１０８    信号処理回路
１０９    記録媒体
１１０    操作表示部
１１３    システム制御部
１１４    フォーカスレンズ駆動回路
１１５    補助光光源
１１６    補助光発光量制御部
１１７    焦点評価値演算部
１１８    合焦位置決定部
１１９    撮影条件解析部
１２０    撮影条件記憶部
１２１    顔検出部
１２２    測距範囲設定部
【図１】
2008216763.tif 000003
【図２】
2008216763.tif 000004
【図３】
2008216763.tif 000005
【図４】
2008216763.tif 000006
【図５】
2008216763.tif 000007